(57)【要約】【課題】たとえば載置性や組み立て容易性などの付加機能を備えた、簡易な構造のレセプタクルコネクタ、およびカメラユニットを提供する。【解決手段】延伸方向Ｌにおけるプラグコネクタ側Ｌ１と電子基板側Ｌ２との間で信号を伝送する複数の信号端子１と、延伸方向Ｌに沿う円柱状であり、複数の信号端子１を貫通させて保持する絶縁体のホルダ２と、ホルダ２の径方向Ｒにおける外側を覆う筒状で導電性の第一シェル３と、第一シェル３が収容された延伸方向Ｌに沿う円筒空間Ｅ３を有する非導電性のコネクタケースと、延伸方向Ｌに直交する面部９１を有するスペーサ９を備える。【選択図】図２
2018107036.tif 000002
【特許請求の範囲】
【請求項１】
延伸方向においてプラグコネクタと嵌合可能であり、プラグコネクタ側と電子基板側との間で信号を伝送する複数の信号端子と、
前記延伸方向に沿う円柱状であり、複数の前記信号端子を前記延伸方向に貫通させて保持する絶縁体のホルダと、
前記ホルダの径方向における外周を覆う筒状で導電性の第一シェルと、
前記第一シェルが収容された前記延伸方向に沿う円筒空間を有する非導電性のコネクタケースと、を備えたレセプタクルコネクタであって、
前記延伸方向に直交する面部を有するスペーサを備え、
前記面部は、前記信号端子が貫通する複数の挿通孔を有する支持部と、前記支持部を支持する梁部と、前記面部から前記延伸方向に沿い前記プラグコネクタ側に突出し、前記径方向に沿った弾性力を有するスペーサ係合爪と、を備え、
前記第一シェルは、前記コネクタケースに対して固定されており、
前記第一シェルは、前記第一シェルの前記径方向の外周面に前記スペーサ係合爪が係合するスペーサ係合凹部を備え、前記延伸方向の電子基板側の端部に前記梁部と係合する係合溝を備え、
前記スペーサは前記コネクタケースに対し、前記スペーサ係合爪と前記スペーサ係合凹部との係合により前記延伸方向に沿う移動が規制され、前記梁部と前記係合溝との係合により、前記延伸方向に沿う軸を回転軸とした回転が規制され、
前記スペーサは、複数の前記挿通孔に前記信号端子を貫通させた状態で、前記コネクタケースに対する前記ホルダの回転を規制するレセプタクルコネクタ。
【請求項２】
前記第一シェルが貫通する開口部を備えた導電性の底部を有する第二シェルを備え、
前記スペーサは、前記第二シェルに対して前記電子基板側に配置され、
前記スペーサは、前記第二シェルが前記開口部に前記第一シェルを貫通させた状態で、前記第二シェルを、前記コネクタケースとの間に挟み込み、前記第二シェルの前記延伸方向に沿う移動を規制する請求項１に記載のレセプタクルコネクタ。
【請求項３】
前記面部は、前記面部の周囲から屈曲して前記延伸方向に沿い前記プラグコネクタ側に延出するスペーサ壁を備え、
前記スペーサ壁の前記プラグコネクタ側の端部が、前記第二シェルを前記電子基板側から係止して、前記第二シェルの前記延伸方向に沿う移動を規制する請求項２に記載のレセプタクルコネクタ。
【請求項４】
前記第一シェルの前記径方向における外側に、前記第一シェルと前記コネクタケースとの間を前記延伸方向で封止する円環状の外部シール部材を備え、
前記底部は、前記外部シール部材を、前記コネクタケースとの間に挟み込み、前記外部シール部材の前記延伸方向に沿う移動を規制する請求項２または３に記載のレセプタクルコネクタ。
【請求項５】
前記第一シェルの前記径方向における内側に、前記第一シェルの内部を前記延伸方向で封止する円柱状の内部シール部材を備え、
前記スペーサは、前記内部シール部材を、前記ホルダとの間に挟み込み、前記内部シール部材の前記延伸方向に沿う移動を規制する請求項１から４のいずれか一項に記載のレセプタクルコネクタ。
【請求項６】
前記スペーサの前記支持部が、前記内部シール部材を前記電子基板側から係止して、前記内部シール部材の前記延伸方向に沿う移動を規制する請求項５に記載のレセプタクルコネクタ。
【請求項７】
前記スペーサの前記支持部は、前記面部から前記延伸方向に沿い前記プラグコネクタ側に円柱状に突出する請求項１から６のいずれか一項に記載のレセプタクルコネクタ。
【請求項８】
撮像素子と、前記撮像素子を駆動制御すると共に前記撮像素子から出力された映像信号を処理する電子回路と、前記撮像素子へ集光するレンズを備えた光学系と、を有する電子基板と、
請求項１から７のいずれか一項に記載のレセプタクルコネクタと、を備え、
前記電子回路を前記信号端子に電気的に接続し、前記電子基板を前記スペーサの前記面部に載置したカメラユニット。
【発明の詳細な説明】
【技術分野】
【０００１】
本発明は、レセプタクルコネクタおよび当該レセプタクルコネクタを取り付けたカメラユニットに関する。
【背景技術】
【０００２】
近年の電子機器の処理速度や通信速度の高速化に伴い、内部配線や電子機器間の接続には、信号端子を導電性の材料で遮蔽し、ノイズに強い構造とした高速伝送用のレセプタクルコネクタが使用されている。このようなレセプタクルコネクタは、特に、車載カメラ、カーナビゲーションシステム、カーオーディオ等の車載機器やその他の車載機器の内部配線や電子機器間の接続に広く用いられている（特許文献１）。
【０００３】
このようなレセプタクルコネクタは、その信号端子の一方を電子機器の電子基板と接続されて、電子基板ユニット（たとえば、電子基板としての車載用のカメラモジュールにレセプタクルコネクタを取り付けた車載用のカメラユニット）として用いられる場合がある。
また、このようなレセプタクルコネクタは、上記電子基板の側（以下、電子基板側と称する）に対して他方となる当該レセプタクルコネクタのプラグコネクタの側（以下、プラグコネクタ側と称する）の接続部分に接続されるプラグコネクタと共に、一対のコネクタとして用いられる場合がある。
【０００４】
このように車載機器の内部配線や電子機器間の接続に上記レセプタクルコネクタを用いる場合、当該レセプタクルコネクタに、さらに車載用途に応じた付加機能の追加が要請される。
付加機能としては例えば、防水機能や、電子回路を備えた電子基板の取り付けやすさ（以下、載置性と称する）、電子回路に対するノイズの遮蔽能、組み立て容易性、使用時の安全性などが例示できる。
【先行技術文献】
【特許文献】
【０００５】
【特許文献１】特開２０１６−２０１１９３号公報
【発明の概要】
【発明が解決しようとする課題】
【０００６】
上記レセプタクルコネクタに、上記例示したような付加機能を追加する場合、レセプタクルコネクタの構造が複雑になる場合があるため問題である。
【０００７】
本発明は、かかる実状に鑑みて為されたものであって、その目的は、たとえば載置性や組み立て容易性などの付加機能を備えた、簡易な構造のレセプタクルコネクタ、およびカメラユニットを提供することにある。
【課題を解決するための手段】
【０００８】
上記目的を達成するための本発明に係るレセプタクルコネクタの特徴構成は、
延伸方向においてプラグコネクタと嵌合可能であり、プラグコネクタ側と電子基板側との間で信号を伝送する複数の信号端子と、
前記延伸方向に沿う円柱状であり、複数の前記信号端子を前記延伸方向に貫通させて保持する絶縁体のホルダと、
前記ホルダの径方向における外周を覆う筒状で導電性の第一シェルと、
前記第一シェルが収容された前記延伸方向に沿う円筒空間を有する非導電性のコネクタケースと、を備えたレセプタクルコネクタであって、
前記延伸方向に直交する面部を有するスペーサを備え、
前記面部は、前記信号端子が貫通する複数の挿通孔を有する支持部と、前記支持部を支持する梁部と、前記面部から前記延伸方向に沿い前記プラグコネクタ側に突出し、前記径方向に沿った弾性力を有するスペーサ係合爪と、を備え、
前記第一シェルは、前記コネクタケースに対して固定されており、
前記第一シェルは、前記第一シェルの前記径方向の外周面に前記スペーサ係合爪が係合するスペーサ係合凹部を備え、前記延伸方向の電子基板側の端部に前記梁部と係合する係合溝を備え、
前記スペーサは前記コネクタケースに対し、前記スペーサ係合爪と前記スペーサ係合凹部との係合により前記延伸方向に沿う移動が規制され、前記梁部と前記係合溝との係合により、前記延伸方向に沿う軸を回転軸とした回転が規制され、
前記スペーサは、複数の前記挿通孔に前記信号端子を貫通させた状態で、前記コネクタケースに対する前記ホルダの回転を規制する点にある。
【０００９】
上記構成によれば、ホルダが、信号端子を、当該信号端子の延伸方向の中央部で保持した状態（すなわち、当該信号端子の両端部分を露出した状態）にある。そして、ホルダは、信号端子を保持した状態で、例えば第一シェルの筒の内側に挿入されるなどして、第一シェルに覆われる。
そのため、信号端子は、ホルダに保持された状態で、導電性の第一シェルの筒の部分と信号端子の径方向視で重複し、当該重複部分において径方向からの電気的ノイズ（電磁波）から遮蔽された状態となる。この状態で、信号端子およびホルダは、第一シェルを介してコネクタケースに収容されて、レセプタクルコネクタとして機能する。
スペーサの面部は、例えばカメラユニットを形成するための電子基板をレセプタクルコネクタに載置するために用いることが出来る。スペーサの面部により、電子基板を容易にレセプタクルコネクタに載置できる。
【００１０】
このレセプタクルコネクタにおいて、複数の信号端子を貫通させて保持するホルダと、信号端子が貫通する複数の挿通孔を有する支持部を備えたスペーサとは、それぞれ互いに複数の信号端子で係合する。具体的には、ホルダとスペーサとは、それぞれ互いに、信号端子の延伸方向に沿う軸を回転軸とした回転が規制される関係になる。
【００１１】
そして、スペーサは、スペーサ係合爪とスペーサ係合凹部との係合により、コネクタケースに対する延伸方向に沿う移動が規制され、スペーサは、コネクタケースに対し、延伸方向において固定される。また、スペーサは、スペーサの梁部とコネクタケースに対して固定された第一シェルの係合溝との係合により、コネクタケースに対する延伸方向に沿う軸を回転軸とした回転が規制され、スペーサは、コネクタケースに対し、延伸方向に沿う軸を回転軸とした回転を不能とされる。
その結果、ホルダの回転を規制するスペーサは、ホルダのコネクタケースに対する、信号端子の延伸方向Ｌに沿う軸を回転軸とした回転を規制するのである。
したがって、上記のようなスペーサを用いて、上記のように信号端子とホルダと第一シェルとをそれぞれ係合させるという簡易な構造で、ホルダおよび信号端子を確実に位置決めして、使用時に信号端子の位置がずれる様な場合を回避（例えば短絡などの事故を回避）し、高い安全性を提供することが出来るという付加機能を備えたレセプタクルコネクタを提供できる。
【００１２】
本発明に係るレセプタクルコネクタの更なる特徴構成は、
前記第一シェルが貫通する開口部を備えた導電性の底部を有する第二シェルを備え、
前記スペーサは、前記第二シェルに対して前記電子基板側に配置され、
前記スペーサは、前記第二シェルが前記開口部に前記第一シェルを貫通させた状態で、前記第二シェルを、前記コネクタケースとの間に挟み込み、前記第二シェルの前記延伸方向に沿う移動を規制する点にある。
【００１３】
上記構成によれば、第二シェルはその開口部に第一シェルを貫通させているため、第二シェルは信号端子の延伸方向と交錯する。したがって、導電性の第二シェルの底部は、延伸方向において電気的ノイズを遮蔽するように機能する。そして、このようなノイズ遮蔽能を有する第二シェルを、スペーサでコネクタケースとの間に挟み込むという簡易な構造および組み立て方法で、レセプタクルコネクタに取り付けることが出来る。
したがって、ノイズの遮蔽能と組み立て容易性という付加機能とを備えた、簡易な構造のレセプタクルコネクタを提供できる。
【００１４】
本発明に係るレセプタクルコネクタの更なる特徴構成は、
前記面部は、前記面部の周囲から屈曲して前記延伸方向に沿い前記プラグコネクタ側に延出するスペーサ壁を備え、
前記スペーサ壁の前記プラグコネクタ側の端部が、前記第二シェルを前記電子基板側から係止して、前記第二シェルの前記延伸方向に沿う移動を規制する点にある。
【００１５】
上記構成によれば、スペーサ壁のプラグコネクタ側の端部で第二シェルを係止して、第二シェルの延伸方向に沿う移動、すなわち、プラグコネクタ側への移動を防ぎ、第二シェルが電子基板側から抜け落ちることを簡易な構造で回避することができる。
【００１６】
本発明に係るレセプタクルコネクタの更なる特徴構成は、
前記第一シェルの前記径方向における外側に、前記第一シェルと前記コネクタケースとの間を前記延伸方向で封止する円環状の外部シール部材を備え、
前記底部は、前記外部シール部材を、前記コネクタケースとの間に挟み込み、前記外部シール部材の前記延伸方向に沿う移動を規制する点にある。
【００１７】
上記構成によれば、ネクタケースの内周面と第一シェルとの間が、外部シール部材で封止され、プラグコネクタ側から電子基板側へ水が浸入するのを防止するという防水機能を提供できる。そして、この外部シール部材を、第二シェルの底部とコネクタケースとの間に挟み込む態様、すなわち、第二シェルの底部で電子基板側からプラグコネクタ側に向けて係止するという簡易かつ組み立て容易な構造で、外部シール部材の装着を確実ならしめることが出来る。
【００１８】
本発明に係るレセプタクルコネクタの更なる特徴構成は、
前記第一シェルの前記径方向における内側に、前記第一シェルの内部を前記延伸方向で封止する円柱状の内部シール部材を備え、
前記スペーサは、前記内部シール部材を、前記ホルダとの間に挟み込み、前記内部シール部材の前記延伸方向に沿う移動を規制する点にある。
【００１９】
上記構成によれば、第一シェルと内部シール部材との間が内部シール部材で封止され、プラグコネクタ側から電子基板側への水の浸入を防ぐ（防水する）という防水機能を提供できる。そして、この内部シール部材を、スペーサとホルダとの間に挟み込むという簡易かつ組み立て容易な構造で、内部シール部材の装着を確実ならしめることが出来る。
【００２０】
本発明に係るレセプタクルコネクタの更なる特徴構成は、
前記スペーサの前記支持部が、前記内部シール部材を、前記電子基板側から係止して、前記内部シール部材の前記延伸方向に沿う移動を規制する点にある。
【００２１】
上記構成によれば、支持部で内部シール部材の電子基板側の面を係止して、内部シール部材が電子基板側に移動することを防止することができる。その結果、内部シール部材が電子基板側から抜け落ちることを簡易な構造で回避することができる。
【００２２】
本発明に係るレセプタクルコネクタの更なる特徴構成は、
前記スペーサの前記支持部は、前記面部から前記延伸方向に沿い前記プラグコネクタ側に円柱状に突出する点にある。
【００２３】
上記構成によれば、内部シール部材を、支持部により第一シェルの筒の内側（内部）に押し込まれた配置の状態として、内部シール部材の装着を確実ならしめることが出来る。
また、支持部に設けた挿通孔の延伸方向に沿う長さを長くして、信号端子の位置決めを確実ならしめることが出来る。
【００２４】
上記目的を達成するための本発明に係るカメラユニットの特徴構成は、
撮像素子と、前記撮像素子を駆動制御すると共に前記撮像素子から出力された映像信号を処理する電子回路と、前記撮像素子へ集光するレンズを備えた光学系と、を有する電子基板と、
請求項１から７のいずれか一項に記載のレセプタクルコネクタと、を備え、
前記電子回路を前記信号端子に電気的に接続し、前記電子基板を前記スペーサの前記面部に載置した点にある。
【００２５】
上記構成によれば、電子基板をスペーサの面部に載置するという簡易な構造で、高い安全性や、ノイズの遮蔽能、組み立て容易性、および防水性という付加機能を備えたカメラユニットを提供できる。
【図面の簡単な説明】
【００２６】
【図１】レセプタクルコネクタ、コネクタ、およびカメラモジュールにより構成されるカメラユニットの模式図
【図２】レセプタクルコネクタの断面図
【図３】端子モジュールの分解斜視図
【図４】レセプタクルコネクタの分解斜視図
【図５】レセプタクルコネクタを電子基板側から見た斜視図
【図６】コネクタケースを電子基板側から見た斜視図
【図７】コネクタの概略構成図
【図８】防水機能を発揮する場合のコネクタの接続部分の模式断面図
【図９】防水機能を発揮させない場合のコネクタの接続部分の模式断面図
【発明を実施するための形態】
【００２７】
図１から図９に基づいて、本発明の実施形態に係るレセプタクルコネクタおよびコネクタについて説明する。
【００２８】
本実施形態は、図１に模式的に示すように、電子基板の一例としてのカメラモジュール１１０に取り付けられて、車両に搭載されるカメラユニット１００（例えば、車に載置される車載カメラ）として用いられるレセプタクルコネクタ１０を例として説明する。
まず、レセプタクルコネクタ１０が使用される態様について、その概略構成を説明する。
【００２９】
〔レセプタクルコネクタの使用態様の概略構成〕
本実施形態に係るレセプタクルコネクタ１０は、通常、レセプタクルコネクタ１０と、当該レセプタクルコネクタ１０のプラグコネクタ側Ｌ１（図２参照）から挿入して接続されるプラグコネクタ１２０と一対で、コネクタ２０として用いられる。
コネクタ２０は、プラグコネクタ１２０に接続されるケーブル１３０とカメラモジュール１１０とを電気的に接続するために用いる。
【００３０】
なお、ケーブル１３０は、内部導体（図示せず）を絶縁体（図示せず）で被覆した、信号を伝送し、グランド（アース）に導通し、または電力を供給する信号線ないし電力供給線であり、当該内部導体を当該絶縁体と共に被覆して、当該内部導体を、外部空間Ｅ１からの電気的ノイズから保護する電気的保護部材（いわゆる、シールド）としての外部導体（図示せず）を備える。
【００３１】
コネクタ２０は、具体的には例えば、ケーブル１３０からの信号を、カメラモジュール１１０に出力し、また、カメラモジュール１１０からの信号をケーブル１３０に出力する。さらに、ケーブル１３０から供給される駆動用の電力を、カメラモジュール１１０に供給する。
なお、ケーブル１３０で伝送される信号としては、例えば、カメラモジュール１１０を制御するための信号や、カメラモジュール１１０から受信する画像情報を含む映像の信号が挙げられる。
【００３２】
〔レセプタクルコネクタの概略構成〕
レセプタクルコネクタ１０の概略構成を説明する。
レセプタクルコネクタ１０は、図２に示すように、延伸方向Ｌにおいてプラグコネクタ１２０と嵌合可能であり、プラグコネクタ側Ｌ１と電子基板側Ｌ２との間で信号を伝送する４本の直線状の信号端子１と、延伸方向Ｌに沿う円柱状であり、信号端子１をその延伸方向Ｌに貫通させて保持する絶縁体のホルダ２と、ホルダ２の延伸方向Ｌに直交する径方向Ｒにおける外周を覆う筒状で導電性の第一シェル３と、第一シェル３が収容された延伸方向Ｌに沿う円筒空間Ｅ３を有する非導電性のコネクタケース８と、を備える。
なお、図２は、レセプタクルコネクタ１０の延伸方向Ｌに沿う断面を示している。
【００３３】
レセプタクルコネクタ１０は、さらに、第一シェル３の内部を延伸方向Ｌで封止する内部シール部材４と、円筒空間Ｅ３の内部を延伸方向Ｌで封止する外部シール部材６と、を備えており、プラグコネクタ側Ｌ１から電子基板側Ｌ２への水の浸入を防止（以下、防水と称する）している。このように防水機能を備えることにより、例えば短絡などの事故を防ぎ、高い安全性を提供できる。
【００３４】
また、レセプタクルコネクタ１０は、レセプタクルコネクタ１０の電子基板側Ｌ２を覆い、外部空間Ｅ１の主にプラグコネクタ側Ｌ１から電子基板側Ｌ２に向けた電気的ノイズ（電磁波）から遮蔽して保護する電気的保護部材である第二シェル７と、カメラモジュール１１０を載置するスペーサ９と、を備える。
以下、レセプタクルコネクタ１０の各部分について詳述する。
【００３５】
コネクタケース８は、図２、図５および図６に示すように、内周面８ａで区画される円筒空間Ｅ３と、空間Ｅ２とを備える。
コネクタケース８は、円筒空間Ｅ３に第一シェル３から成る端子モジュール３０を収容し、プラグコネクタ１２０を挿入する、レセプタクルコネクタ１０の容器である。なお、端子モジュール３０とは、第一シェル３に、信号端子１を保持したホルダ２と、内部シール部材４とが組み込まれたモジュールを言う。
また、コネクタケース８の空間Ｅ２には、第二シェル７と、スペーサ９と、が収容される。
【００３６】
コネクタケース８は、樹脂などの絶縁性（非導電性）材料によって形成されている。信号端子１、第一シェル３および第二シェル７は導電性を有するから、信号端子１、第一シェル３および第二シェル７をレセプタクルコネクタ１０の外部から絶縁するためである。
コネクタケース８は、樹脂であれば、ナイロン、ポリプロピレン、ポリフェニレンサルファイド樹脂、塩化ビニル樹脂などで形成することができ、本実施形態では、ひとつの態様として、樹脂としてのナイロンで形成した場合を示している。
【００３７】
コネクタケース８は、円筒空間Ｅ３を形成するコネクタケース８の内周面８ａに、第一係合爪８１と、外部シール当接面８６と、を備える（図６参照）。
【００３８】
第一係合爪８１は、内周面８ａから径方向Ｒにおける内側Ｒ１に突出し、径方向Ｒに沿った弾性力を有する複数の爪状の（本実施形態では４つの）突起である。第一係合爪８１は、後述する第一シェル３の溝状の凹部である第一係合凹部３１と係合し、第一シェル３（端子モジュール３０）を円筒空間Ｅ３に係止する。
コネクタケース８の、それぞれ隣り合う第一係合爪８１の間には、内周面８ａから径方向Ｒにおける内側Ｒ１にやや突出する凸部８３を備える（図６参照）。
【００３９】
外部シール当接面８６は、コネクタケース８の内周面８ａに設けられた面であり、延伸方向Ｌに交錯し空間Ｅ２と対向する面（電子基板側Ｌ２に向く面）として設けられる。本実施形態では、外部シール当接面８６は、交錯の一態様として延伸方向Ｌに直交している。外部シール当接面８６には、外部シール部材６が当接する。
【００４０】
コネクタケース８は、第二シェル７を空間Ｅ２に収容する際に第二シェル７を支持する部材として、例えば突起８５と環状延出部８２とを備える（図６参照）。
環状延出部８２は、電子基板側Ｌ２に向けて第二シェル７の底部７１を支持し、突起８５は、第二シェル７を、延伸方向Ｌに対する相対的な側方から支持する。
突起８５は、例えば内周面８ａから径方向Ｒにおける内側Ｒ１に向けて突起する態様で設けられる。
環状延出部８２は、例えばコネクタケース８から、延伸方向Ｌに沿い、電子基板側Ｌ２に延出する環状の部材として設けられる。
【００４１】
空間Ｅ２は、第二シェル７や、スペーサ９を収容する空間である。空間Ｅ２は、本実施形態では、環状延出部８２の電子基板側Ｌ２の先端部よりも電子基板側Ｌ２の空間である。
【００４２】
また、コネクタケース８は、レセプタクルコネクタ１０がプラグコネクタ１２０と共にコネクタ２０として機能するために、プラグコネクタ１２０の抜け止めピンと係合し、コネクタケース８からのプラグコネクタ１２０の脱離を防止する、抜止受部８８を備える。
また、コネクタケース８は、レセプタクルコネクタ１０がカメラモジュール１１０に取り付けられて、カメラユニット１００として用いられる際に、レセプタクルコネクタ１０の電子基板側Ｌ２を覆うケースであり、カメラモジュール１１０を収容する本体ケース８９を備える場合がある。
【００４３】
信号端子１は、図２、図３、図５に示すように、プラグコネクタ側Ｌ１から接続されるケーブル１３０と、電子基板側Ｌ２に接続されるカメラモジュール１１０との間で、少なくとも信号と伝送する部材である。
本実施形態の信号端子１は、信号を伝送し、また電力を供給するする直線状の導電性部材であり、いわゆるコンタクトピンである場合を示している。本実施形態では、信号端子１は、金属としての銅に、導電性の被覆材としての金をめっきしている。
本実施形態では、信号端子１は、ケーブル１３０の内部導体に対応する。
信号端子１の直径は、例えば０．３ｍｍから５ｍｍである。レセプタクルコネクタ１０をカメラモジュール１１０として用いる場合は、信号端子１の直径は、典型的には０．３ｍｍから１．５ｍｍである。
【００４４】
信号端子１は、少なくともプラグコネクタ１２０の接続端子（図示せず）と電気的に接続される第一端子部１１と、カメラモジュール１１０のレセプタクル（図示せず）と電気的に接続される第二端子部１２とを備える。
【００４５】
本実施形態では、信号端子１はさらに、第一膨隆部１３と、第二膨隆部１４と、調整部１５と、抜け止め突起１６を備える（図３参照）。
信号端子１は、プラグコネクタ側Ｌ１から電子基板側Ｌ２に向けて順に、第一端子部１１、抜け止め突起１６、第二膨隆部１４、調整部１５、第一膨隆部１３、第二端子部１２を備える。
【００４６】
第二端子部１２は、本実施形態では、スペーサ９から、電子基板側Ｌ２に向けて、先端部分が延出（突出）した状態に配置される。カメラモジュール１１０と電気的に接続するためである。
【００４７】
第一膨隆部１３と、第二膨隆部１４とは、それぞれ、第一端子部１１ないし第二端子部１２よりも相対的に太く形成された信号端子１の一部である。
調整部１５は、第一端子部１１ないし第二端子部１２よりも相対的に太く、第一膨隆部１３よりも相対的に細く形成された信号端子１の一部である。
抜け止め突起１６は、第一端子部１１の電子基板側Ｌ２に偏位した位置（信号端子１のおよそ中央部分であり、第二膨隆部１４のプラグコネクタ側Ｌ１の近傍）に設けられた突起である。
なお、信号端子１の直径とは、第一端子部１１または第二端子部１２の直径の事を言う。
【００４８】
信号端子１は、信号端子１の延伸方向Ｌにおける、第一膨隆部１３ないし調整部１５の径や長さを調整して、レセプタクルコネクタ１０の特性インピーダンスを調整可能となっている。
第二膨隆部１４は、後述するように、内部シール部材４に挿通されて内部シール部材４に支持される部分である。
【００４９】
第一膨隆部１３および調整部１５による、レセプタクルコネクタ１０の特性インピーダンスの調整について補足する。
信号端子１の径が大きくなると、レセプタクルコネクタ１０の特性インピーダンスは小さくなる。逆に、信号端子１の径が小さくなると、レセプタクルコネクタ１０の特性インピーダンスは大きくなる。
【００５０】
つまり、信号端子１の一部である第一膨隆部１３や調整部１５の径が大きくなると、レセプタクルコネクタ１０の特性インピーダンスは小さくなる。逆に、第一膨隆部１３や調整部１５の径が小さくなると、レセプタクルコネクタ１０の特性インピーダンスは大きくなる。
【００５１】
また、第一膨隆部１３の長さと調整部１５の長さとの合計の値を固定し、かつ、第一膨隆部１３の径と調整部１５の径とをそれぞれ固定の値とした場合に、調整部１５の長さを長くする（第一膨隆部１３の長さを短くする）と、レセプタクルコネクタ１０の特性インピーダンスは大きくなる。逆に、調整部１５の長さを短くする（第一膨隆部１３の長さを長くする）と、レセプタクルコネクタ１０の特性インピーダンスは小さくなる。
【００５２】
ホルダ２は、図２、図３に示すように、信号端子１を覆う絶縁体であり、ケーブル１３０の絶縁体に対応するものである。本実施形態では、ホルダ２は、絶縁体としての樹脂で形成される。樹脂としては例えば、ナイロン樹脂や塩化ビニル樹脂、ポリエチレン樹脂などを利用できる。
【００５３】
またホルダ２は信号端子１を保持孔２９（図３参照）に挿通して貫通させて、信号端子１を正確に位置決めして保持する保持部材である。なお、保持孔２９は、延伸方向Ｌに沿う孔である。
本実施形態では、保持孔２９は、ひとつの信号端子１に、ひとつの保持孔２９が割り当てられる。つまり、信号端子１の本数と、同じ孔数の保持孔２９を備える。
【００５４】
ホルダ２は、延伸方向Ｌに沿う円柱状であり、ホルダ２の本体部分である円柱状の胴部２３と、胴部２３の電子基板側Ｌ２端部に配置されて胴部２３よりも相対的に太い（延伸方向Ｌに対して直交する径方向Ｒの径が大きい）係止部２５と、延伸方向Ｌに沿う孔である保持孔２９と、プラグコネクタ１２０に対して立体障害となり、プラグコネクタ１２０の挿入状態を決定する脚部２８を備える。
【００５５】
胴部２３は、第一シェル３に、第一シェル３の電子基板側Ｌ２からプラグコネクタ側Ｌ１に向けて挿入される。係止部２５は、胴部２３が筒状の第一シェル３に挿入される際に、第一シェル３と係合して、第一シェル３に対する胴部２３の挿入位置を決定する。
【００５６】
脚部２８は、胴部２３からプラグコネクタ側Ｌ１に向けて、延伸方向Ｌに沿い柱状に延出する部材である。脚部２８は、後述するように、レセプタクルコネクタ１０にプラグコネクタ１２０を挿入して嵌める場合に、互いの挿入位置を決める位置決め部分である。
【００５７】
ホルダ２の保持孔２９には、信号端子１の第一端子部１１が挿通される。
信号端子１は、第一端子部１１の抜け止め突起１６が、ホルダ２の電子基板側Ｌ２から保持孔２９の内部まで圧入されて、保持孔２９と抜け止め突起１６が係合し、ホルダ２に固定される。
保持孔２９の直径は、通常、信号端子１の直径と同じか、やや大きく形成される。また、保持孔２９の直径は、抜け止め突起１６の部分の直径よりもやや小さい。信号端子１の第一端子部１１を無理なく保持孔２９に挿通可能とし、また、第一端子部１１の抜け止め突起１６を保持孔２９に圧入した場合に、信号端子１が容易に抜け落ちないようにするためである。
なお、本実施形態では、信号端子１は、保持孔２９の電子基板側Ｌ２の開口部分に第二膨隆部１４のプラグコネクタ側Ｌ１の端部が係止されて、ホルダ２に対する挿通位置を決定する。つまり、ホルダ２は、信号端子１の第一端子部１１の電子基板側の部分、すなわち信号端子１のおよそ中央部分を保持孔２９で保持するのである。つまり、第一端子部１１のプラグコネクタ側Ｌ１の先端部分はホルダ２に覆われず、ホルダ２を貫通し露出して端子部となる。
【００５８】
本実施形態ではホルダ２は、胴部２３に延伸方向Ｌに沿う孔である複数（本実施形態では４つ）の保持孔２９を備え、ひとつの保持孔２９で一つの信号端子１を正確に位置決めして保持する。
また、脚部２８は、隣り合う信号端子１の間のいくつかに設けられる。本実施形態では、４本の信号端子１の、４つの間のうち、３つの間に設けられている。
【００５９】
第一シェル３は、図２から図５に示すように、ホルダ２の径方向Ｒにおける外周側を覆う部材である。つまり、第一シェル３は、ケーブル１３０の外部導体に対応する部材であり、外部空間Ｅ１からの電気的ノイズから、信号端子１を保護する電気的保護部材である。
【００６０】
第一シェル３は、第一シェル３の本体部分としての胴部３８を有し、胴部３８に、プラグコネクタ側Ｌ１から電子基板側Ｌ２に向けて順に、多面体部３６と、溝状の凹部である第一係合凹部３１と、接続部３７と、溝状の凹部である第二係合凹部３９とを備える。胴部３８の電子基板側Ｌ２の端部には、先端突起３３（図３、図５参照）と、係合溝３４とを備える（図３参照）。
【００６１】
第一シェル３は、電気的保護部材として、電気的ノイズを遮蔽する材料で形成される。電気的ノイズを遮蔽する材料としては例えば、金属や、金属粉末を練り込んだ樹脂コンパウンド、樹脂に金属メッキを施したもの、などが挙げられる。
本実施形態では、第一シェル３は、金属としての銅で成り、表面を金属としての錫でめっきしたものを用いている。当該錫のめっきは、第一シェル３の防錆を兼ねている。第一シェル３は、例えば銅材料を切削して形成（つまり、削り出しで形成）したり、鋳型で成型したりすることができる。本実施形態では、第一シェル３を、銅材料を切削して形成した場合を例示している。
【００６２】
第一シェル３は、延伸方向Ｌに沿う筒状の部材である。上述のように、信号端子１が圧入された円柱状のホルダ２は、第一シェル３に挿入される。つまり、ホルダ２の円柱の、延伸方向Ｌに沿う軸心と、第一シェル３の円筒の延伸方向Ｌに沿う軸心とは、一致する。すなわち、第一シェル３の円筒の延伸方向Ｌに沿う軸心は、第一シェル３の円筒の軸心方向と一致する。
ホルダ２は、電子基板側Ｌ２から第一シェル３に挿入されると、ホルダ２の係止部２５が第一シェル３の係合面３２（図２参照）で係止され、延伸方向Ｌのプラグコネクタ側Ｌ１への移動が規制される。
【００６３】
係合面３２は、第一シェル３の内周面３ａ（図２参照）に設けられた面であり、延伸方向Ｌに交錯し空間Ｅ２と対向する面（電子基板側Ｌ２に向く面）として設けられる。本実施形態では、係合面３２は、交錯の一態様として延伸方向Ｌに直交している。
【００６４】
第一シェル３は、プラグコネクタ側Ｌ１から電子基板側Ｌ２に向けて順に、プラグコネクタ１２０を嵌める筒状の胴部３８と、第一シェル３の延伸方向Ｌに沿う軸（軸心）を回転軸Ｐとした回転を規制する多面体部３６と、第一係合爪８１が係合する第一係合凹部３１と、第二シェル７と電気的に接続される筒状の接続部３７と、スペーサ９と係合する第二係合凹部３９と、第一シェル３の電子基板側Ｌ２の端部に在る係合溝３４と、第一シェル３の電子基板側Ｌ２の端部に在り、延伸方向Ｌに沿い、電子基板側Ｌ２の側に延出する突起状部である先端突起３３とを備える。
【００６５】
第一係合凹部３１は、第一シェル３の外周面３ｂに設けられた、環状の溝部（凹部）である。第一係合凹部３１の溝の断面は、およそ矩形である。
第一係合凹部３１は、第一係合爪８１が係合する係合部である。
第一係合凹部３１は、多面体部３６と接続部３７との間で多面体部３６と接続部３７に対して相対的な溝となっている。
【００６６】
第一シェル３は、第一係合爪８１と第一係合凹部３１との係合により、コネクタケース８に係止された状態で、コネクタケース８に収容されている。第一シェル３は、第一シェル３がコネクタケース８に収容（装着、取付）された状態で、コネクタケース８に対する第一シェル３（信号端子１）の延伸方向Ｌに沿う移動が規制されている。
第一シェル３を、延伸方向Ｌに沿って、第一シェル３をコネクタケース８の電子基板側Ｌ２から挿入してコネクタケース８に収容して装着すると、コネクタケース８の第一係合爪８１が、第一シェル３の第一係合凹部３１に係合する。
【００６７】
多面体部３６は、延伸方向Ｌに沿う複数（本実施形態では４つ）の平面部３６ｂを備える。本実施形態では、それぞれとなりあう平面部３６ｂの頂部が面取りされた平面状の面取り部３６ａを備えている。本実施形態では、平面部３６ｂを４面備える。
第一シェル３は、コネクタケース８に、面取り部３６ａをコネクタケース８の凸部８３に対向させた状態で収容される。平面部３６ｂは、凸部８３と立体障害的に係合し、第一シェル３の、延伸方向Ｌに沿う軸を回転軸Ｐとした回転を防止する。
【００６８】
第二係合凹部３９は、第一シェル３の外周面３ｂに、円環状の凹部として設けられ、後述する第二係合爪９６が係合する部分である。
【００６９】
係合溝３４は、第一シェル３の電子基板側Ｌ２の端部に、第一シェル３の接続部３７の周方向に沿い、設けられた切欠きである。本実施形態では、それぞれ等間隔で隣り合う先端突起３３の間に、係合溝３４が設けられている。本実施形態では、先端突起３３および係合溝３４がそれぞれ交互に設けられる場合を示している。また、本実施形態では、先端突起３３および係合溝３４が等間隔にそれぞれ４つずつ設けられる場合を示している。
【００７０】
なお、ケーブル１３０の外部導体は、第一シェル３に電気的に接続される。また、後述するように第一シェル３と第二シェル７とは電気的に接続されているため、第二シェル７が、カメラモジュール１１０のグラウンドに接続されている場合には、第一シェル３およびケーブル１３０のグランドも、カメラモジュール１１０のグラウンドに電気的に接続されている。
【００７１】
内部シール部材４は、弾性部材でなり、図２、図３に示すように、第一シェル３とコネクタケース８との間を延伸方向Ｌで封止する封止材である。本実施形態では、内部シール部材４として、延伸方向Ｌに沿う円柱状のゴム状部材を用いている。
【００７２】
内部シール部材４は、例えば弾性部材の一例である、ゴム状部材で形成される。ゴム状部材しては、特にゴム材料を用いる。ゴム材料としては、例えばシリコンゴムや、シリコンスポンジが好適である。ゴム材料としてさらに好ましくは、シリコンオイルなどの油を含浸したゴムを用いる。
本実施形態では、内部シール部材４として、シリコンオイルを含浸したシリコンゴムを用いている。
【００７３】
内部シール部材４は、信号端子１が圧入された挿通孔４９（図３参照）を備え、内部シール部材４の径方向Ｒにおける外側Ｒ２の外周部４ａが第一シェル３の径方向Ｒにおける内側Ｒ１の内周面３ａに圧接する状態で、第一シェル３の内部を延伸方向Ｌで封止して防水している。
なお、挿通孔４９は、信号端子１の外径が他の部分よりも大きい第二膨隆部１４において信号端子１に圧接している。内部シール部材４は弾性部材であるから、第二膨隆部１４の外径に応じて柔軟に変形して信号端子１に圧接される。挿通孔４９の径は、たとえば、第二膨隆部１４の直径と、同じか、やや小さい。信号端子１を、挿通孔４９に挿通した場合に、信号端子１が内部シール部材４により圧接された状態とするためである。
本実施形態では、挿通孔４９は、ひとつの信号端子１に、ひとつの挿通孔４９が割り当てられる。つまり、信号端子１の本数と、同じ孔数の挿通孔４９がある。
【００７４】
内部シール部材４は、本実施形態では、ホルダ２とスペーサ９との間に挿入して配置される。
内部シール部材４は、電子基板側Ｌ２の面４２がスペーサ９の支持部９７のコネクタ側の面９７ａで係止されている。本実施形態では、係止の一態様として、電子基板側Ｌ２の面４２がスペーサ９の支持部９７のコネクタ側の面９７ａに当接している。つまり、内部シール部材４は、スペーサ９で電子基板側Ｌ２への移動を規制されている。なお、スペーサ９の支持部９７については後述する。
また、内部シール部材４は、プラグコネクタ側Ｌ１の面４１がホルダ２の電子基板側Ｌ２の面２２で係止されている。本実施形態では、係止の一態様として、プラグコネクタ側Ｌ１の面４１がホルダ２の電子基板側Ｌ２の面２２に当接している。つまり、内部シール部材４は、ホルダ２で、プラグコネクタ側Ｌ１への移動を規制されている。
【００７５】
つまり、内部シール部材４は、スペーサ９と、ホルダ２との間に挟み込まれて、延伸方向Ｌに沿う移動を規制されている。内部シール部材４は、このように、スペーサ９と、ホルダ２との間に挟むだけで固定できるため、組み立て容易性に優れる。
【００７６】
第一シェル３に、信号端子１を挿通したホルダ２と、内部シール部材４とを電子基板側Ｌ２から挿入すると、一体の端子モジュール３０（図４参照）となる。端子モジュール３０は、信号端子１やホルダ２や内部シール部材４を第一シェル３に挿入するだけで容易に組み立てることができ、組み立て容易性に優れる。
端子モジュール３０は、コネクタケース８の電子基板側Ｌ２から円筒空間Ｅ３に挿入して、コネクタケース８に収容するだけの容易な操作で、コネクタケース８に装着することができ、組み立て容易性に優れる。
【００７７】
なお、第一シェル３は、レセプタクルコネクタ１０とプラグコネクタ１２０とを接続する場合に、第一シェル３とプラグコネクタ１２０との間を封止して防水するソケット側シール部材５を備える場合がある。第一シェル３がソケット側シール部材５を備える場合については後述する。
【００７８】
外部シール部材６は、弾性部材でなり、第一シェル３の内側Ｒ１にある内部を延伸方向Ｌで封止する封止材である。本実施形態では、外部シール部材６として、円環状のゴム状部材を用いている。
【００７９】
外部シール部材６は、図２、図４に示すように、例えば弾性部材の一例である、ゴム状部材で形成される。ゴム状部材しては、特にゴム材料を用いる。ゴム材料としては、例えばシリコンゴムや、シリコンスポンジが好適である。ゴム材料としてさらに好ましくは、シリコンオイルなどの油を含浸したゴムを用いる。
本実施形態では、外部シール部材６として、シリコンオイルを含浸したシリコンゴムを用いている。
【００８０】
外部シール部材６は、径方向Ｒにおける外側Ｒ２の外周部６ｂが、円筒空間Ｅ３を形成するコネクタケース８の内周面８ａ（環状延出部８２の内周面）に圧接し、径方向Ｒにおける内側Ｒ１の内周部６ａが第一シェル３の径方向Ｒにおける外側Ｒ２の外周面３ｂに圧接する状態で、円筒空間Ｅ３の内部を延伸方向Ｌで封止して防水している。
【００８１】
外部シール部材６は、第二シェル７およびスペーサ９に対してプラグコネクタ側Ｌ１に配置されている。
外部シール部材６は、プラグコネクタ側Ｌ１の面６１がコネクタケース８で係止され、第一シェル３に設置されている。本実施形態では、係止の一態様として、プラグコネクタ側Ｌ１の面６１がコネクタケース８に当接している。
【００８２】
本実施形態では、外部シール部材６は、面６１が、コネクタケース８の内周面８ａに設けられた面であり、延伸方向Ｌに直交して交錯し空間Ｅ２に対向する面である外部シール当接面８６で、係止されている。つまり、外部シール部材６は、コネクタケース８の内周面８ａでプラグコネクタ側Ｌ１への移動を規制されている。
外部シール部材６は、電子基板側Ｌ２の面６２が第二シェル７で係止され、第一シェル３に設置されている。本実施形態では、係止の一態様として、電子基板側Ｌ２の面６２が第二シェル７に当接している。つまり、外部シール部材６は、第二シェル７で、電子基板側Ｌ２への移動を規制されている。
【００８３】
つまり、外部シール部材６は、コネクタケース８と、第二シェル７との間に挟み込まれて、延伸方向Ｌに沿う移動を規制されている。
外部シール部材６は、コネクタケース８に収容された端子モジュール３０（第一シェル３）に対して、コネクタケース８の電子基板側Ｌ２から挿入し、コネクタケース８の電子基板側Ｌ２から第二シェル７で挟み込むという容易な操作で装着することができ、組み立て容易性に優れる。
【００８４】
第二シェル７は、図２、図３に示すように、電子基板側Ｌ２を電気的ノイズから遮蔽して、電気的ノイズから、信号端子１を流れる電気信号や電子基板としてのカメラモジュール１１０などの、第二シェル７よりも延伸方向Ｌの電子基板側Ｌ２にある部材を保護する電気的保護部材（いわゆる、シールド）である。
第二シェル７は、コネクタケース８の空間Ｅ２の部分に、環状延出部８２と突起８５とで正確に位置決めして支持されて収容される。
【００８５】
第二シェル７は、電気的保護部材として、電気的ノイズを遮蔽する材料で形成される。電気的ノイズを遮蔽する材料としては例えば、金属や、金属粉末を練り込んだ樹脂コンパウンド、樹脂に金属メッキを施したもの、などが挙げられる。
本実施形態では、第二シェル７は、金属としての銅で成り、表面を金属としての錫でめっきしたものを用いている。錫のめっきは、第一シェル３の防錆を兼ねている。第二シェル７は、例えば銅板材を曲げ加工して形成することができる。
【００８６】
第二シェル７は、コネクタケース８の電子基板側Ｌ２に、レセプタクルコネクタ１０の電子基板側Ｌ２の空間Ｅ２をプラグコネクタ側Ｌ１から電子基板側Ｌ２に向けて覆う（プラグコネクタ側Ｌ１から電子基板側Ｌ２に向けて片面を囲う）ように設けられる。コネクタケース８は、空間Ｅ２として例えば矩形筒状空間を有しており、当該矩形筒状空間に第二シェル７が収容される。
【００８７】
第二シェル７は、底部７１と側壁部７２とを有する、筒の内側が電子基板側に向く、有底筒状の導電性の部材として設けられる。
側壁部７２は底部７１の周囲から屈曲して延伸方向Ｌに沿い電子基板側Ｌ２に延出して設けられる。つまり側壁部７２は、当該有底筒状の第二シェル７の筒としての胴部である。
第二シェル７は、主として底部７１と側壁部７２とで成る当該有底筒状の形状により、空間Ｅ２を覆い、外部空間Ｅ１の電気的ノイズから空間Ｅ２を遮蔽して信号端子１を流れる電気信号や、電子基板で処理される電気信号を保護する。
【００８８】
底部７１には、その中央部に第一シェル３が貫通する開口部７３を備え、この開口部７３は、開口部７３の開口縁部７３ｅから屈曲して延伸方向Ｌに沿い電子基板側Ｌ２に延出する突出部７５を備える。
【００８９】
第二シェル７は、突出部７５において、第一シェル３に嵌められて接合される。
第二シェル７は、第一シェル３の外周面３ｂと突出部７５の径方向Ｒにおける内周面７５ａとが面接触する状態（嵌められた状態）で、第一シェル３に配置されている。第一シェル３および第二シェル７は、共に金属などの導電性材料により形成されているから、このように接合されることによって、第一シェル３および第二シェル７は電気的にも接続される。
【００９０】
第二シェル７の突出部７５の収容空間Ｅ４（図４参照）に、第一シェル３の接続部３７が圧入されており、第一シェル３（接続部３７）の外周面３ｂと、突出部７５の内周面７５ａとは圧接されている。したがって、第二シェル７の底部７１における開口部７３の縁部（開口縁部７３ｅ）に隙間を有することなく、第一シェル３と第二シェル７とが接合される。これにより、外部空間Ｅ１から空間Ｅ２への電磁波の侵入や、空間Ｅ２から外部空間Ｅ１への電磁波の漏洩などが適切に抑制される。
【００９１】
第二シェル７は、このように、第二シェル７の底部７１を第一シェル３が貫通する配置、すなわち第二シェル７の底部７１が信号端子１の延伸方向Ｌに交錯（本実施形態では交錯の一態様として直交）する配置となり、当該配置にある導電性の第二シェル７は、電子基板側Ｌ２に延出する側壁部７２および突出部７５、並びに底部７１とで、電子基板側Ｌ２を覆い、信号端子１（第二端子部１２）やカメラモジュール１１０などの、第二シェル７よりも延伸方向Ｌの電子基板側Ｌ２にある部材、およびそれら部材で処理される電気信号を、電気的ノイズから遮蔽して保護する。
【００９２】
スペーサ９は、図２、図４、図５に示すように、電子基板としてのカメラモジュール１１０を載置する土台である。
スペーサ９は、当該土台となる面部９１と、面部９１の外周から延伸方向Ｌに沿い、プラグコネクタ側Ｌ１に向けて延出するスペーサ壁９２と、を備える。
スペーサ９は絶縁体としての樹脂で形成される。樹脂としては例えば、ナイロン樹脂や塩化ビニル樹脂、ポリエチレン樹脂などを利用できる。スペーサ９は本実施形態ではコネクタケース８と同じ樹脂で形成しており、ナイロンで形成されている。
【００９３】
面部９１は、第一シェル３の円筒の延伸方向Ｌに沿う軸心と同一の軸心の円形の平板である。面部９１は、延伸方向Ｌに直交して交錯している。
面部９１は、信号端子１を貫通させて正確に位置決めして支持する挿通孔９９を有する支持部９７と、第二係合凹部３９と係合する爪部であり、径方向Ｒに沿った弾性力を有する第二係合爪９６と、支持部９７を面部９１において保持する梁部９５を備えている。また、面部９１は、ひとつの第二係合爪９６に対し、ひとつの開口部９３が形成されている。
【００９４】
第二係合爪９６は、面部９１の外側Ｒ２に相対的に変位した位置の部分を起点に、相対的に内側Ｒ１の部分で屈曲し、延伸方向Ｌに沿いプラグコネクタ側Ｌ１に突出（延出）し、支持部９７の径方向Ｒの外側Ｒ２に配置されている。第二係合爪９６は、第二係合凹部３９と係合し、第二係合爪９６と第二係合凹部３９とは互いに延伸方向Ｌに沿う移動を規制する。
第二係合爪９６と第二係合凹部３９との係合により、スペーサ９は第一シェル３に係止され、コネクタケース８に対する延伸方向Ｌに沿う移動を規制されている。
本実施形態では、第二係合爪９６は、それぞれ隣り合う第二係合爪９６同士が、等間隔で配置されている。
第二係合爪９６は、本実施形態では４つ設けられている。
【００９５】
開口部９３は、それぞれの第二係合爪９６の周囲の一部（面部９１の内側Ｒ１の部分）にひとつの開口部９３が形成されている。
梁部９５は、それぞれ隣り合う開口部９３の間の面部９１の部分である。
【００９６】
梁部９５は、係合溝３４と係合し、スペーサ９を、第一シェル３に対する延伸方向Ｌに沿う軸（軸心）を回転軸Ｐとした回転を規制（防止）する。
具体的には、第二係合爪９６と第二係合凹部３９とが係合している状態、すなわち、スペーサ９が第一シェル３に取り付けられた状態で、梁部９５が係合溝３４に嵌る態様により、スペーサ９が、第一シェル３に対する延伸方向Ｌに沿う軸（軸心）を回転軸Ｐとした回転することを規制する。
【００９７】
このように、スペーサ９は、第一シェル３に対して、延伸方向Ｌに沿う移動と、延伸方向Ｌに沿う軸（軸心）を回転軸Ｐとした回転とが規制される。ここで、上述のように、第一シェル３は、コネクタケース８に対し、第一シェル３の延伸方向Ｌに沿う移動が規制され、また、延伸方向Ｌに沿う軸（軸心）を回転軸Ｐとした回転が規制されているため、スペーサ９はコネクタケース８に対し、延伸方向Ｌに沿う移動と、延伸方向Ｌに沿う軸（軸心）を回転軸Ｐとした回転とが規制された状態になる。
すなわち、スペーサ９は、第二係合爪９６と第二係合凹部３９との係合により、コネクタケース８に対する延伸方向Ｌに沿う移動が規制され、梁部９５と係合溝３４との係合により、コネクタケース８に対する延伸方向Ｌに沿う軸（軸心）を回転軸Ｐとした回転が規制される。
【００９８】
挿通孔９９は、信号端子１を貫通させて支持する延伸方向Ｌに沿う孔である。
信号端子１は、その第二端子部１２の先端部分を電子基板側Ｌ２に向けて突出させた状態で、支持部９７の挿通孔９９に挿通されて正確に位置決めして配置される。面部９１に載置されたカメラモジュール１１０と接続するためである。
挿通孔９９は、本実施形態では、ひとつの信号端子１に、ひとつの挿通孔９９が割り当てられる。
【００９９】
スペーサ９は、コネクタケース８に収容された端子モジュール３０（第一シェル３）に対して、コネクタケース８の電子基板側Ｌ２から挿入すれば、第二係合爪９６と第二係合凹部３９との係合により、容易に装着できる。スペーサ９を端子モジュール３０に装着する場合に、信号端子１は、保持孔２９で保持されて正確に位置決めされているため、複数の信号端子１を、それぞれ対応する挿通孔９９に挿入する操作も容易である。
スペーサ９は、このように組み立て容易性に優れる。
【０１００】
本実施形態のスペーサ９の挿通孔９９は、信号端子１が複数本、つまり、４本あるので、挿通孔９９も４つ設けられる。この場合、ホルダ２の保持孔２９も、挿通孔９９と同一の個数だけ設けられる。また、挿通孔９９と保持孔２９とは、それぞれ対応した位置で取り付けられる。つまり、隣り合う挿通孔９９同士の距離や位置関係と、隣り合う保持孔２９同士の距離や位置関係とは、同一である。つまり、複数の挿通孔９９の配列と、保持孔２９の配列は同じである。
なお、挿通孔４９も同様に、挿通孔９９および保持孔２９と同様の配列である。
したがって、信号端子１が２本以上ある場合、スペーサ９とホルダ２とは、２本以上の信号端子１を介して、第一シェル３の延伸方向Ｌに沿う軸（軸心）を回転軸Ｐとした回転方向において互いを規制する。つまり、スペーサ９とホルダ２とは、第一シェル３の延伸方向Ｌに沿う軸（軸心）を回転軸Ｐとした回転方向において互いに固定された関係にある。
【０１０１】
ここで、スペーサ９は、コネクタケース８に対し、延伸方向Ｌに沿う移動と、延伸方向Ｌに沿う軸（軸心）を回転軸Ｐとした回転とを規制された状態であるから、コネクタケース８とホルダ２とは、第一シェル３の延伸方向Ｌに沿う軸（軸心）を回転軸Ｐとした回転方向において互いに固定された関係にある。
すなわち、スペーサ９は、複数の挿通孔９９に信号端子１を貫通させた状態で、ホルダ２のコネクタケース８に対する延伸方向Ｌに沿う軸（軸心）を回転軸Ｐとした回転を規制するのである。よって、ホルダ２および信号端子１は、簡易な構造で確実に位置決めさて、高い組み立て精度を維持し、使用時に、信号端子１の位置がずれる様な場合を回避して、例えば短絡などの事故を防ぎ、高い安全性を提供できる。
【０１０２】
支持部９７は、面部９１から延伸方向Ｌに沿いプラグコネクタ側Ｌ１に円柱状に突出して形成されている。本実施形態のスペーサ９は、プラグコネクタ側Ｌ１に円柱状に突出した支持部９７の一部を、第一シェル３の内部に挿入した状態で配置される。そのため、内部シール部材４は、プラグコネクタ側Ｌ１に円柱状に突出した支持部９７により、第一シェル３の内部に押し込まれた配置の状態になる。
【０１０３】
挿通孔９９は、本実施形態では、信号端子１の第一膨隆部１３と調整部１５とを覆うように支持している。したがって、挿通孔９９の径は、信号端子１の第一端子部１１や第二端子部１２の径よりも太い。
挿通孔９９を有する支持部９７は、延伸方向Ｌに沿う円柱状であるが、この円柱状の支持部９７の延伸方向Ｌに沿う長さを変更して、信号端子１の第一膨隆部１３と調整部１５とのそれぞれの長さを変更する場合がある。また、挿通孔９９の径を変更して、信号端子１の第一膨隆部１３や調整部１５の径を変更する場合がある。つまり、支持部９７の延伸方向Ｌに沿う長さや、径を変更して、レセプタクルコネクタ１０の特性インピーダンスを調整する場合がある。
【０１０４】
本実施形態における、ホルダ２と、内部シール部材４と、外部シール部材６と、第二シェル７と、スペーサ９との配置について、補足する。
【０１０５】
本実施形態では、スペーサ９を、ホルダ２に対して、電子基板側Ｌ２に配置し、内部シール部材４を、スペーサ９とホルダ２との間に配置している。
スペーサ９で、内部シール部材４を、ホルダ２との間に挟み込み、内部シール部材４の前記延伸方向に沿う移動を規制するためである。
【０１０６】
本実施形態では、スペーサ９の支持部９７のプラグコネクタ側Ｌ１の面９７ａが、内部シール部材４の電子基板側Ｌ２の面４２を、電子基板側Ｌ２から当接させて、内部シール部材４の延伸方向Ｌに沿う、電子基板側Ｌ２への移動を規制している。
【０１０７】
本実施形態では、スペーサ９は、第二シェル７に対して、電子基板側Ｌ２に配置している。
第二シェル７を、スペーサ９で係止するためである。そして、第二シェル７の、第一シェル３に対する延伸方向Ｌに沿う移動を規制した状態で、第二シェル７を、第一シェル３に配置するためである。
【０１０８】
本実施形態では、第二シェル７を、スペーサ壁９２のプラグコネクタ側Ｌ１の端部９２ａで、第二シェル７の、電子基板側Ｌ２の面を係止している。
つまり、スペーサ９は、第二シェル７が開口部７３に第一シェル３（端子モジュール３０）を貫通させた状態で、第二シェル７を、コネクタケース８との間に挟み込み、第二シェル７の前記延伸方向に沿う移動を規制する。
【０１０９】
第二シェル７は、外部シール部材６に対して、電子基板側Ｌ２に配置している。
外部シール部材６の電子基板側Ｌ２の面６２を第二シェル７の底部７１のプラグコネクタ側Ｌ１の面で係止して、第一シェル３に設置するためである。
つまり、第二シェル７の底部７１は、外部シール部材６を、コネクタケース８（内周面８ａ）との間に挟み込み、外部シール部材６の前記延伸方向に沿う移動を規制する。
外部シール部材６は、このように、第二シェル７と、コネクタケース８との間に挟むだけで固定できるため、組み立て容易性に優れる。
【０１１０】
レセプタクルコネクタ１０の組み立てのひとつの態様について補足する。
レセプタクルコネクタ１０の組み立ては、以下の、容易な手順で可能である。
まず、ホルダ２を、第一シェル３に挿入する。この状態で、ホルダ２に信号端子１を圧入して挿通する。
次に、内部シール部材４を、信号端子１に圧入する。言い換えると、ホルダ２に挿通された状態の信号端子１を内部シール部材４に圧入する。
以上で、端子モジュール３０の組み立てが完了する。
【０１１１】
次に、端子モジュール３０（第一シェル３）を、電子基板側Ｌ２からコネクタケース８に挿入して収容する。端子モジュール３０をコネクタケース８に収容すると、それぞれ係合して、端子モジュール３０が、コネクタケース８に固定して設置される。
次に、外部シール部材６を、端子モジュール３０（第一シェル３）に嵌める。
その後、端子モジュール３０（第一シェル３）に、第二シェル７を圧入し、コネクタケース８の空間Ｅ２に収容する。
その後、端子モジュール３０（第一シェル３）に、スペーサ９を電子基板側Ｌ２から取り付ける。
以上でレセプタクルコネクタ１０の組み立てが完了する。
【０１１２】
〔コネクタについての説明〕
レセプタクルコネクタ１０は、図７から図９に示すように、レセプタクルコネクタ１０と、レセプタクルコネクタ１０のプラグコネクタ側Ｌ１からコネクタケース８の円筒空間Ｅ３に挿入されて接続されるプラグコネクタ１２０と、により、レセプタクルコネクタ１０とプラグコネクタ１２０とで一対のコネクタ２０として利用可能である。
【０１１３】
プラグコネクタ１２０の一態様を例示すると、プラグコネクタ１２０は、少なくともコネクタケース８に挿入された状態で第一シェル３の胴部３８と径方向視で重複する接続筒部１２２を備える（図８、図９参照）。
本実施形態では、接続筒部１２２が、第一シェル３の胴部３８に外嵌する状態で、第一シェル３と接続筒部１２２とが径方向視で重複（本実施形態では、重複の一態様として、第一シェル３が接続筒部１２２に嵌合）する場合を例示しているが、接続筒部１２２が、第一シェル３の胴部３８に内嵌する状態で、第一シェル３と接続筒部１２２とが重複する場合もある（図示せず）。
【０１１４】
このように、第一シェル３と接続筒部１２２とが径方向視で重複する状態で、プラグコネクタ１２０の接続端子部（図示せず）が、信号端子１のプラグコネクタ側Ｌ１と電気的に接続される。
以下、第一シェル３と接続筒部１２２とが重複する状態で、プラグコネクタ１２０の接続端子部（図示せず）が、信号端子１のプラグコネクタ側Ｌ１と電気的に接続される状態を、単に「接続が完了する」と記載する。
【０１１５】
プラグコネクタ１２０は、本実施形態では、レセプタクルコネクタ１０側の抜け防止機構である抜止受部８８と係合する、突起１２１ａを有する抜止ピン１２１と、使用者がプラグコネクタ１２０を把持する把持部１２４と、コネクタケース８の内周面８ａに設けられた位置決め溝８ｂと係合して、プラグコネクタ１２０のレセプタクルコネクタ１０に対する挿入位置を定める位置決め部１２３とを備える場合を例示している。
【０１１６】
抜止ピン１２１は、プラグコネクタ１２０のレセプタクルコネクタ１０への接続した状態で意図しない抜けを防止し、接続が完了した状態の維持を確実ならしめるための、プラグコネクタ１２０側の抜け防止機構である。
抜止ピン１２１は、抜止受部８８に挿入された状態で、突起１２１ａが、抜止受部８８の凹部に係合し、レセプタクルコネクタ１０に対しての抜け方向へのプラグコネクタ１２０移動が規制される。
【０１１７】
接続が完了すると、ケーブル１３０とレセプタクルコネクタ１０が取り付けられる電子基板としてのカメラモジュール１１０との通信や電力供給が可能となる。
【０１１８】
このように接続が完了する状態で、さらに、第一シェル３が、第一シェル３と接続筒部１２２との間を封止するソケット側シール部材５を備えると、第一シェル３とプラグコネクタ１２０の接続筒部１２２との間がソケット側シール部材５で封止されて、接続筒部１２２の外側Ｒ２から第二シェル７の内側Ｒ１に対して防水されるため好ましい。
本実施形態では、第一シェル３と接続筒部１２２が重複する位置に、ソケット側シール部材５を配置した例を示している。
【０１１９】
ソケット側シール部材５は、延伸方向Ｌに沿う円柱状の弾性部材である。本実施形態では、弾性部材として、ゴム状部材を用いている。ゴム状部材しては、特にゴム材料を用いる。ゴム材料としては、例えばシリコンゴムや、シリコンスポンジが好適である。ゴム材料としてさらに好ましくは、シリコンオイルなどの油を含浸したゴムを用いる。
本実施形態では、ソケット側シール部材５として、シリコンオイルを含浸したシリコンゴムを用いている。
【０１２０】
ソケット側シール部材５は、第一シェル３の、防水凹部３５に嵌められて固定される。
本実施形態では、防水凹部３５は、多面体部３６のコネクタ側の面３５ｂと、面３５ｂよりもコネクタ側に位置し、第一シェル３の外周面３ｂから外側Ｒ２に突起する防水突起３５ａとで相対的に溝部として形成される場合を示している。
なお、防水凹部３５は、胴部３８の外周面３ｂに、溝部として設ける場合もある。
【０１２１】
つまり、ソケット側シール部材５は、ソケット側シール部材５のプラグコネクタ側Ｌ１を防水突起３５ａで係止され、ソケット側シール部材５の電子基板側Ｌ２を多面体部３６の面３５ｂで係止される。
【０１２２】
ソケット側シール部材５は、防水凹部３５に嵌められた状態で、ソケット側シール部材５の内側Ｒ１である内周部５ａが、第一シェル３の外周面３ｂに圧接して第一シェル３と、ソケット側シール部材５の間を封止している。
ソケット側シール部材５は、プラグコネクタ１２０との接続が完了する状態で、ソケット側シール部材５の外側Ｒ２である外周部５ｂが、接続筒部１２２の内側Ｒ１の面に圧接して接続筒部１２２と、ソケット側シール部材５の間を封止している（図９参照）。
【０１２３】
つまり、プラグコネクタ１２０との接続が完了する状態で、ソケット側シール部材５は、第一シェル３とプラグモジュールの接続筒部１２２との間がソケット側シール部材５で封止されて、接続筒部１２２の外側から第一シェルの内側に対する防水機能（以下、ソケット側シール部材５の防水機能と称する）を発揮する。
【０１２４】
なお、第一シェル３が、第一シェル３と接続筒部と１２２の間を封止するソケット側シール部材５を備える場合において、接続が完了する状態で、接続筒部１２２の電子基板側の端部が、防水突起３５ａよりもコネクタ側に位置するような接続筒部１２２を形成すると、ソケット側シール部材５の防水機能を無効とすることができる。
【０１２５】
たとえば、接続が完了する状態で接続筒部１２２がソケット側シール部材５と重複する程度に延伸方向Ｌの長さを有するプラグコネクタ１２０を用いる場合（図９）に防水機能を有効とし、接続が完了する状態で接続筒部１２２がソケット側シール部材５と重複しない程度の延伸方向Ｌに沿う長さ（例えば、接続が完了する状態で接続筒部１２２の電子基板側の端部が、防水突起３５ａよりもコネクタ側に位置する長さ）を有するプラグコネクタ１２０を用いる場合（図８）に防水機能を無効とすることができる。
つまり、プラグコネクタ１２０が防水機能を発揮する場合（図９）と、発揮させない場合（図８）とを使い分けることができる。
【０１２６】
言い換えると、本実施形態で例示したレセプタクルコネクタ１０は、プラグコネクタ１２０が防水機能を発揮する場合と、発揮しない場合との、何れにも嵌合可能である。
例えば防水機能を発揮するための相対的に新しい規格のプラグコネクタ１２０と、防水機能を備えない相対的に旧式の（たとえば、従来から使用されている）のプラグコネクタ１２０との双方に対して、互換性を備えたレセプタクルコネクタ１０として利用できる。
【０１２７】
〔カメラユニットに用いる場合の説明〕
以下では、レセプタクルコネクタ１０を、カメラモジュール１１０に取り付けて、車両に搭載されるカメラユニット１００（車載カメラ）として用いる場合の一つの態様を図１をもとにして説明する。
以下、このようなカメラユニット１００の一態様を例示する。
【０１２８】
レセプタクルコネクタ１０（コネクタ２０）は、例えば、ケーブル１３０で伝送される信号を、カメラモジュール１１０に送信し、また、カメラモジュール１１０から受信する。さらに、ケーブル１３０から供給される駆動用の電力を、カメラモジュール１１０に供給するために、カメラモジュール１１０に取り付けて用いる。
【０１２９】
カメラモジュール１１０は、その電子基板（図示せず。電子基板としては、例えばプリント基板やフレキシブルプリント基板が例示できる）を、スペーサ９に載置する態様で、用いることができる。例えば、カメラモジュール１１０の基板に先端突起３３に対応する係合部（図示せず）を設け、カメラモジュール１１０をスペーサ９に載置した状態で、カメラモジュール１１０を先端突起３３に係止（例えば、係止として、固定）する。このように、レセプタクルコネクタ１０が、電子基板側Ｌ２に平面を有するスペーサ９を備えるため、レセプタクルコネクタ１０は、カメラモジュール１１０の基板を容易に載置でき、載置性に優れる。その上で、信号端子１を基板上の回路配線に半田付け等の方法により電気的に接続する。
【０１３０】
コネクタケース８は、カメラユニット１００の中では、カメラモジュール１１０に対して相対的にプラグコネクタ側Ｌ１に位置することになるので、リアケースと称される場合がある。
【０１３１】
本体ケース８９には、好適にはカメラモジュール１１０が収容される。
本体ケース８９は、カメラユニット１００の中では、リアケースと称されるコネクタケース８に対してフロントケースと称される場合がある。コネクタケース８と本体ケース８９とは、互いに当接して、内部に端子モジュール３０、第二シェル７、カメラモジュール１１０などを収容する収容空間が形成される。
【０１３２】
以下、カメラモジュール１１０の一例を説明する。
カメラモジュール１１０は、電子基板の一例であり、少なくとも撮像素子１０１と、撮像素子１０１を駆動制御すると共に撮像素子１０１から出力された映像信号を処理する電子回路１０２と、撮像素子１０１へ集光するレンズ１０３を備えた光学系１０４とを有する。
【０１３３】
カメラユニット１００は、ケーブル１３０を介して画像処理装置（図示せず）やモニタ装置（図示せず）に接続される。ケーブル１３０は、画像処理装置やモニタ装置からカメラユニット１００の撮像素子１０１や電子回路１０２に対して電力を供給すると共に、撮像素子１０１および電子回路１０２から出力される映像の信号をケーブル１３０を介して画像処理装置やモニタ装置に出力する。つまり、カメラユニット１００は、公知の電源重畳方式を用いた撮影装置である。
【０１３４】
カメラモジュール１１０の撮像素子１０１は、ＣＣＤ（Ｃｈａｒｇｅ  Ｃｏｕｐｌｅｄ  Ｄｅｖｉｃｅ）センサやＣＩＳ（ＣＭＯＳ  Ｉｍａｇｅ  Ｓｅｎｓｏｒ）である。レンズ１０３は、１枚に限らず、複数枚であってもよい。電子回路１０２は、撮像素子１０１を駆動するクロックドライバや、撮像素子１０１から出力されたアナログ信号に対してサンプルホールドやクランプ処理などのアナログ信号処理を施すアナログ信号処理回路を含んでいる。電子回路１０２は、さらにアナログ信号をデジタル信号に変換するＡ／Ｄコンバータを含んでいてもよい。また、電子回路１０２は、電源重畳方式で供給された電力源に対して整流等の処理を行う電源回路を有していてもよい。
【０１３５】
なお、電子回路１０２は、１枚または複数枚の基板（例えば、プリント基板）に電子部品が実装された電子基板として構成されている。複数の電子基板を有する場合には、電子基板間の電気的接続にフレキシブル基板が用いられてもよい。電子回路１０２が形成された電子基板には、プラグコネクタ１２０を介してケーブル１３０を接続するためのレセプタクルコネクタ（図示せず）も実装されている。プラグコネクタ１２０は、レセプタクルコネクタ１０に接続されると共に、ケーブル１３０にも接続されて、電子回路１０２を備えたカメラモジュール１１０とケーブル１３０とを電気的に接続する。
【０１３６】
カメラユニット１００における、第二シェル７の役割（効果）について補足する。
以上説明したように、カメラユニット１００（車載カメラ）は、ひとつの態様として、レセプタクルコネクタ１０におけるスペーサ９の電子基板の側に、撮像素子１０１と、撮像素子１０１を駆動制御すると共に撮像素子１０１から出力された映像信号を処理する電子回路１０２と、撮像素子１０１へ集光するレンズ１０３を備えた光学系１０４とを有するカメラモジュール１１０を備えることになる。
第二シェル７は、カメラモジュール１１０が備える、これら第二シェル７よりも延伸方向Ｌの電子基板側にある部材（電子回路１０２の少なくとも一部）を、外部空間Ｅ１の電気的ノイズから遮蔽して、保護するように機能する。
【０１３７】
このように、内部シール部材４と、外部シール部材６とを追加するだけの簡易な構造で、プラグコネクタ側Ｌ１から電子基板側Ｌ２への防水機能と言う付加機能を備えたレセプタクルコネクタ１０を提供できる。
また、内部シール部材４と、外部シール部材６と、ソケット側シール部材５とを追加するだけの簡易な構造で、プラグコネクタ側Ｌ１から電子基板側Ｌ２までの防水機能と言う付加機能を備えたコネクタ２０を提供できる。
【０１３８】
〔別実施形態〕
以下、別の実施形態について説明する。なお、以下に説明する各実施形態の構成は、それぞれ単独で適用されるものに限られず、矛盾が生じない限り、他の実施形態の構成と組み合わせて適用することも可能である。
【０１３９】
（１）上記実施形態では、第一シェル３と第二シェル７との接合として、第二シェル７の突出部７５の収容空間Ｅ４に、第一シェル３の接続部３７を圧入する場合を例示した。
しかしながら、第一シェル３と第二シェル７との接合は、圧入に限るものではない。第一シェル３を突出部７５の収容空間Ｅ４に挿入した後、開口縁部７３ｅを溶着したり接着したり、または半田付けしたりすることによって、第一シェル３と第二シェル７とを接合してもよい。
【０１４０】
（２）上記実施形態では、第二係合爪９６と第二係合凹部３９との係合により、スペーサ９を第一シェル３に係止する場合を例示した。
しかしながら、第二係合爪９６と第二係合凹部３９とを係合させて、スペーサ９を第一シェル３に係止する代わりに、たとえば、支持部９７を、第一シェル３に内嵌（たとえば、支持部９７を第一シェル３に圧入して内嵌）し、スペーサ９を第一シェル３に係止してもよい。
【０１４１】
（３）上記実施形態では、支持部９７は、面部９１から延伸方向Ｌに沿いプラグコネクタ側Ｌ１に円柱状に突出して形成されている場合を例示した。
しかしながら、支持部９７は、突出させる場合に限られない。たとえば、支持部９７を突出させる代わりに、たとえば、延伸方向Ｌに沿う円柱状のゴム状部材である内部シール部材４を、延伸方向Ｌに対してより長く形成してもよい。
【０１４２】
（４）上記実施形態では、信号端子１は、信号と電力とを伝送する直線状の導電性部材である場合を例示した。
しかしながら、信号端子１は、導電性部材に限られない。たとえば、導電性部材である信号端子１を用いる代わりに、たとえば、光ファイバを用いてもよい。また、複数の信号端子１を備える場合において、信号端子１として導電性部材で成るものと、光ファイバで成るものを、混在させてもよい。
【０１４３】
（５）上記実施形態では、電子基板がカメラモジュール１１０である場合を例示した。
しかしながら、電子基板は、カメラモジュール１１０に限られない。例えば、車載用の、衝突防止センサである場合もある。衝突防止センサとしては、例えば、超音波センサや、テラヘルツ波センサなどが例示できる。
【産業上の利用可能性】
【０１４４】
本発明によれば、たとえば載置性や組み立て容易性などの付加機能を備えた簡易な構造のレセプタクルコネクタや、カメラユニットの提供に適用できる。
【符号の説明】
【０１４５】
１        ：信号端子
２        ：ホルダ
３        ：第一シェル
３ａ      ：内周面（第一シェル）
３ｂ      ：外周面（第一シェル）
４        ：内部シール部材
４ａ      ：外周部（内部シール部材）
５        ：ソケット側シール部材
５ａ      ：内周部（ソケット側シール部材）
５ｂ      ：外周部（ソケット側シール部材）
６        ：外部シール部材
６ａ      ：内周部（外部シール部材）
６ｂ      ：外周部（外部シール部材）
７        ：第二シェル
８        ：コネクタケース
８ａ      ：内周面（コネクタケース）
９        ：スペーサ
１０      ：レセプタクルコネクタ
１１      ：第一端子部（信号端子）
１２      ：第二端子部（信号端子）
１３      ：第一膨隆部（信号端子）
１４      ：第二膨隆部（信号端子）
２０      ：コネクタ
２２      ：面（ホルダ）
３１      ：第一係合凹部
３４      ：係合溝
３９      ：第二係合凹部（スペーサ係合凹部）
４１      ：面（内部シール部材）
４２      ：面（内部シール部材）
４９      ：挿通孔
６１      ：面（外部シール部材）
６２      ：面（外部シール部材）
７１      ：底部
７２      ：側壁部
７３      ：開口部
７５      ：突出部
７５ａ    ：内周面
８１      ：第一係合爪
９１      ：面部
９２      ：スペーサ壁
９３      ：開口部
９５      ：梁部
９６      ：第二係合爪（スペーサ係合爪）
９７      ：支持部
９７ａ    ：面
９９      ：挿通孔
１００    ：カメラユニット
１１０    ：カメラモジュール（電子基板）
１２０    ：プラグコネクタ
１２２    ：接続筒部
１３０    ：ケーブル
Ｅ１      ：外部空間
Ｅ２      ：空間
Ｅ３      ：円筒空間
Ｅ４      ：収容空間
Ｌ        ：延伸方向
Ｌ１      ：プラグコネクタ側
Ｌ２      ：電子基板側
Ｐ        ：回転軸
Ｒ        ：径方向
Ｒ１      ：内側
Ｒ２      ：外側
【図１】
2018107036.tif 000003
【図２】
2018107036.tif 000004
【図３】
2018107036.tif 000005
【図４】
2018107036.tif 000006
【図５】
2018107036.tif 000007
【図６】
2018107036.tif 000008
【図７】
2018107036.tif 000009
【図８】
2018107036.tif 000010
【図９】
2018107036.tif 000011